(57)【要約】【課題】  Ｅ−ＵＴＲＡＮにおけるＭＢＭＳサービスの実現手段を明確にし、ＵＥに対してシームレスなデータ受信を実現可能な移動体通信システムを提供する。【解決手段】  ＵＰＥ３をＮＴＰサーバとし、ｅＮＢ２−１，２−２をＮＴＰクライアントとすることで、各ｅＮＢ２−１，２−２とＵＰＥ３との時刻同期を行う。ＵＰＥ３からは定期的に各ｅＮＢ２−１，２−２に対してＳｙｎｃｈｒｏｎｉｚａｔｉｏｎを実施することで、ＩＰ伝送路での伝送路遅延を把握する。ＵＰＥ３は取得した伝送路遅延の値から、一番遅延の大きいｅＮＢの伝送路遅延の値を基準に、ｅＮＢ内の装置内遅延を考慮したＡｉｒへのデータ送信タイミングを算出し、ＢＭ−ＳＣ５からのＭＢＭＳデータを管理下のｅＮＢ２−１，２−２分コピーし、算出した送信タイミング値を付与して送信する。【選択図】      図１
2008109319.tif 000002
【特許請求の範囲】
【請求項１】
無線ネットワーク制御装置の機能と無線基地局の機能とが縮退されてなるｅＮＢ［Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］と、コアネットワーク装置とからなるネットワーク構成の移動体通信システムであって、
前記コアネットワーク装置をＮＴＰ（Ｎｅｔｗｏｒｋ  Ｔｉｍｅ  Ｐｒｏｔｏｃｏｌ）サーバとし、ＮＴＰクライアントとなる前記ｅＮＢにクロックを供給し、
前記コアネットワーク装置は、前記ｅＮＢ各々に対して定期的に同期処理を実施して前記ｅＮＢ各々との間の伝送路遅延情報を取得する取得手段と、前記取得手段で取得した伝送路遅延情報に基づいて送信する時刻を決定する決定手段と、ＭＢＭＳ（Ｍｕｌｔｉｃａｓｔ  Ｂｒｏａｄｃａｓｔ  Ｍｕｌｔｉｍｅｄｉａ  Ｓｅｒｖｉｃｅ）データを前記ｅＮＢ数分コピーしかつ当該コピーしたＭＢＭＳデータ各々に前記決定手段で決定した時刻情報を付与して前記ｅＮＢ各々に送信する手段とを有することを特徴とする移動体通信システム。
【請求項２】
前記コアネットワーク装置は、その管理下のｅＮＢ単位及びセル単位のいずれかで前記ＭＢＭＳデータをコピーして送信することを特徴とする請求項１記載の移動体通信システム。
【請求項３】
前記コアネットワーク装置が、ＵＰＥ（Ｕｓｅｒ  Ｐｌａｎｅ  Ｅｎｔｉｔｙ）であることを特徴とする請求項１または請求項２記載の移動体通信システム。
【請求項４】
無線ネットワーク制御装置の機能と無線基地局の機能とが縮退されてなるｅＮＢ［Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］とともに移動体通信システムを構成するコアネットワーク装置であって、
自装置をＮＴＰ（Ｎｅｔｗｏｒｋ  Ｔｉｍｅ  Ｐｒｏｔｏｃｏｌ）サーバとし、ＮＴＰクライアントとなる前記ｅＮＢにクロックを供給し、
前記ｅＮＢ各々に対して定期的に同期処理を実施して前記ｅＮＢ各々との間の伝送路遅延情報を取得する取得手段と、前記取得手段で取得した伝送路遅延情報に基づいて送信する時刻を決定する決定手段と、ＭＢＭＳ（Ｍｕｌｔｉｃａｓｔ  Ｂｒｏａｄｃａｓｔ  Ｍｕｌｔｉｍｅｄｉａ  Ｓｅｒｖｉｃｅ）データを前記ｅＮＢ数分コピーしかつ当該コピーしたＭＢＭＳデータ各々に前記決定手段で決定した時刻情報を付与して前記ｅＮＢ各々に送信する手段とを有することを特徴とするコアネットワーク装置。
【請求項５】
自装置の管理下のｅＮＢ単位及びセル単位のいずれかで前記ＭＢＭＳデータをコピーして送信することを特徴とする請求項４記載のコアネットワーク装置。
【請求項６】
ＵＰＥ（Ｕｓｅｒ  Ｐｌａｎｅ  Ｅｎｔｉｔｙ）であることを特徴とする請求項４または請求項５記載のコアネットワーク装置。
【請求項７】
無線ネットワーク制御装置の機能と無線基地局の機能とが縮退されてなるｅＮＢ［Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］と、コアネットワーク装置とからなるネットワーク構成の移動体通信システムに用いるＭＢＭＳ（Ｍｕｌｔｉｃａｓｔ  Ｂｒｏａｄｃａｓｔ  Ｍｕｌｔｉｍｅｄｉａ  Ｓｅｒｖｉｃｅ）データ送信方法であって、
前記コアネットワーク装置をＮＴＰ（Ｎｅｔｗｏｒｋ  Ｔｉｍｅ  Ｐｒｏｔｏｃｏｌ）サーバとし、ＮＴＰクライアントとなる前記ｅＮＢにクロックを供給し、
前記コアネットワーク装置が、前記ｅＮＢ各々に対して定期的に同期処理を実施して前記ｅＮＢ各々との間の伝送路遅延情報を取得する取得処理と、前記取得処理で取得した伝送路遅延情報に基づいて送信する時刻を決定する決定処理と、ＭＢＭＳデータを前記ｅＮＢ数分コピーしかつ当該コピーしたＭＢＭＳデータ各々に前記決定処理で決定した時刻情報を付与して前記ｅＮＢ各々に送信する処理とを実行することを特徴とするＭＢＭＳデータ送信方法。
【請求項８】
前記コアネットワーク装置が、その管理下のｅＮＢ単位及びセル単位のいずれかで前記ＭＢＭＳデータをコピーして送信することを特徴とする請求項７記載のＭＢＭＳデータ送信方法。
【請求項９】
前記コアネットワーク装置が、ＵＰＥ（Ｕｓｅｒ  Ｐｌａｎｅ  Ｅｎｔｉｔｙ）であることを特徴とする請求項７または請求項８記載のＭＢＭＳデータ送信方法。
【発明の詳細な説明】
【技術分野】
【０００１】
本発明は移動体通信システム、コアネットワーク装置及びそれらに用いるＭＢＭＳデータ送信方法に関し、特にＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）におけるＭＢＭＳ（Ｍｕｌｔｉｃａｓｔ  Ｂｒｏａｄｃａｓｔ  Ｍｕｌｔｉｍｅｄｉａ  Ｓｅｒｖｉｃｅ）データの送信方法に関する。
【背景技術】
【０００２】
現在、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）標準化のＲｅｌｅａｓｅ７以降では、次世代のネットワーク検討がＬＴＥ（Ｌｏｎｇ  Ｔｉｍｅ  Ｅｖｏｌｕｔｉｏｎ）／ＳＡＥ（Ｓｅｒｖｉｃｅ  Ａｒｃｈｉｔｅｃｔｕｒｅ  Ｅｖｏｌｕｔｉｏｎ）として行われている。
【０００３】
また、３ＧＰＰ  Ｒｅｌｅａｓｅ６ではＭＢＭＳという、ビデオ／画像／音楽等のデータ配信を目的とした機能が規定されており（例えば、非特許文献１参照）、Ｒｅｌｅａｓｅ７以降のシステムにおいても実現方法が議論されている。
【０００４】
しかしながら、Ｒｅｌｅａｓｅ７以降より規定に盛り込まれるＥ−ＵＴＲＡＮのシステム構成では、ＲＮＣ（Ｒａｄｉｏ  Ｎｅｔｗｏｒｋ  Ｃｏｎｔｒｏｌｌｅｒ：無線ネットワーク制御装置）がＮｏｄｅＢ（無線基地局）と縮退されることでｅＮＢ（Ｅ−ＵＴＲＡＮ  ＮｏｄｅＢ）となり、コアネットワーク装置［ＵＰＥ（Ｕｓｅｒ  Ｐｌａｎｅ  Ｅｎｔｉｔｙ）／ＭＭＥ（Ｍｏｂｉｌｉｔｙ  Ｍａｎａｇｅｍｅｎｔ  Ｅｎｔｉｔｙ）］とのインタフェースがＩＰ（Ｉｎｔｅｒｎｅｔ  Ｐｒｏｔｏｃｏｌ）ネットワークになることから、伝送路の遅延／揺らぎの吸収方法や、ＢＭ−ＳＣ（Ｂｒｏａｄｃａｓｔ  Ｍｕｌｔｉｃａｓｔ−Ｓｅｒｖｉｃｅ  Ｃｅｎｔｒｅ）からのＭＢＭＳデータを複製してＣｅｌｌ単位に送信するポイント、ＵＥ（Ｕｓｅｒ  Ｅｑｕｉｐｍｅｎｔ：移動機）が複数のｅＮＢのＣｅｌｌをまたがって移動する際に各ｅＮＢが送信するデータの同期方法等が明確なっていない。
【０００５】
従来のネットワーク構成におけるＭＢＭＳサービスのイメージを図７に示す。図７に示すように、従来のシステムではＲＮＣ７〜ＮｏｄｅＢ（＃１，＃２）６−１，６−２間でＳｙｎｃｈｒｏｎｉｚａｔｉｏｎ処理を実施している。このことから、ＲＮＣ７は各ＮｏｄｅＢ（＃１，＃２）６−１，６−２との伝送路遅延を認識し、Ｃｅｌｌ単位にＢＭ−ＳＣ５からＧＧＳＮ［Ｇａｔｅｗａｙ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ］９，ＳＧＳＮ（Ｓｅｒｖｉｎｇ  ＧＰＲＳ  Ｓｕｐｐｏｒｔ  Ｎｏｄｅ）８を介して受信されるＭＢＭＳデータをコピーし、ＮｏｄｅＢ（＃１，＃２）６−１，６−２を介してＵＥ（＃１，＃２）１−１，１−２に送信する処理を行っている。
【０００６】
尚、従来のネットワーク構成におけるマルチキャスト伝送については、以下の特許文献１に記載の技術がある。
【特許文献１】特開２００４−２２９１１７号公報
【非特許文献１】“Ｉｎｔｒｏｄｕｃｔｉｏｎ  ｏｆ  ｔｈｅ  Ｍｕｌｔｉｍｅｄｉａ  Ｂｒｏａｄｃａｓｔ  Ｍｕｌｔｉｃａｓｔ  Ｓｅｒｖｉｃｅ（ＭＢＭＳ）  ｉｎ  ｔｈｅ  Ｒａｄｉｏ  Ａｃｃｅｓｓ  Ｎｅｔｗｏｒｋ（ＲＡＮ）；Ｓｔａｇｅ  ２（Ｒｅｌｅａｓｅ  ６）”［３ＧＰＰ  ＴＳ２５．３４６  Ｖ６．５．０（２００５−０６）］
【発明の開示】
【発明が解決しようとする課題】
【０００７】
現状、Ｅ−ＵＴＲＡＮの検討が進められているが、ＭＢＭＳのサービスを実現する際、現行のシステムではＮｏｄｅＢ〜ＲＮＣ間で同期が取れていることや、ＲＮＣがＮｏｄｅＢのＣｅｌｌを意識したデータコピー処理を行っている。
【０００８】
これに対し、Ｅ−ＵＴＲＡＮでは、ＲＮＣとＮｏｄｅＢとの機能が縮退してｅＮＢとして定義されているため、ＭＢＭＳサービスを実現する際に、ＭＢＭＳのデータをコピーする箇所が明確になっていないことや、ＵＥがｅＮＢのＣｅｌｌをまたがって移動する際にシームレスでサービスを実現するためには、ｅＮＢがＡｉｒ（無線空間）に送信するＭＢＭＳデータの同期をとる必要があるが、同期方法が決められていない等の問題がある。この問題は、上記の特許文献１に記載の技術でも解決できない。
【０００９】
そこで、本発明の目的は上記の問題点を解消し、Ｅ−ＵＴＲＡＮにおけるＭＢＭＳサービスの実現手段を明確にすることができ、ＵＥに対してシームレスなデータ受信を実現することができる移動体通信システム、コアネットワーク装置及びそれらに用いるＭＢＭＳデータ送信方法を提供することにある。
【課題を解決するための手段】
【００１０】
本発明による移動体通信システムは、無線ネットワーク制御装置の機能と無線基地局の機能とが縮退されてなるｅＮＢ［Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］と、コアネットワーク装置とからなるネットワーク構成の移動体通信システムであって、
前記コアネットワーク装置をＮＴＰ（Ｎｅｔｗｏｒｋ  Ｔｉｍｅ  Ｐｒｏｔｏｃｏｌ）サーバとし、ＮＴＰクライアントとなる前記ｅＮＢにクロックを供給し、
前記コアネットワーク装置は、前記ｅＮＢ各々に対して定期的に同期処理を実施して前記ｅＮＢ各々との間の伝送路遅延情報を取得する取得手段と、前記取得手段で取得した伝送路遅延情報に基づいて送信する時刻を決定する決定手段と、ＭＢＭＳ（Ｍｕｌｔｉｃａｓｔ  Ｂｒｏａｄｃａｓｔ  Ｍｕｌｔｉｍｅｄｉａ  Ｓｅｒｖｉｃｅ）データを前記ｅＮＢ数分コピーしかつ当該コピーしたＭＢＭＳデータ各々に前記決定手段で決定した時刻情報を付与して前記ｅＮＢ各々に送信する手段とを備えている。
【００１１】
本発明によるコアネットワーク装置は、無線ネットワーク制御装置の機能と無線基地局の機能とが縮退されてなるｅＮＢ［Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］とともに移動体通信システムを構成するコアネットワーク装置であって、
自装置をＮＴＰ（Ｎｅｔｗｏｒｋ  Ｔｉｍｅ  Ｐｒｏｔｏｃｏｌ）サーバとし、ＮＴＰクライアントとなる前記ｅＮＢにクロックを供給し、
前記ｅＮＢ各々に対して定期的に同期処理を実施して前記ｅＮＢ各々との間の伝送路遅延情報を取得する取得手段と、前記取得手段で取得した伝送路遅延情報に基づいて送信する時刻を決定する決定手段と、ＭＢＭＳ（Ｍｕｌｔｉｃａｓｔ  Ｂｒｏａｄｃａｓｔ  Ｍｕｌｔｉｍｅｄｉａ  Ｓｅｒｖｉｃｅ）データを前記ｅＮＢ数分コピーしかつ当該コピーしたＭＢＭＳデータ各々に前記決定手段で決定した時刻情報を付与して前記ｅＮＢ各々に送信する手段とを備えている。
【００１２】
本発明によるＭＢＭＳデータ送信方法は、無線ネットワーク制御装置の機能と無線基地局の機能とが縮退されてなるｅＮＢ［Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  ＮｏｄｅＢ］と、コアネットワーク装置とからなるネットワーク構成の移動体通信システムに用いるＭＢＭＳ（Ｍｕｌｔｉｃａｓｔ  Ｂｒｏａｄｃａｓｔ  Ｍｕｌｔｉｍｅｄｉａ  Ｓｅｒｖｉｃｅ）データ送信方法であって、
前記コアネットワーク装置をＮＴＰ（Ｎｅｔｗｏｒｋ  Ｔｉｍｅ  Ｐｒｏｔｏｃｏｌ）サーバとし、ＮＴＰクライアントとなる前記ｅＮＢにクロックを供給し、
前記コアネットワーク装置が、前記ｅＮＢ各々に対して定期的に同期処理を実施して前記ｅＮＢ各々との間の伝送路遅延情報を取得する取得処理と、前記取得処理で取得した伝送路遅延情報に基づいて送信する時刻を決定する決定処理と、ＭＢＭＳデータを前記ｅＮＢ数分コピーしかつ当該コピーしたＭＢＭＳデータ各々に前記決定処理で決定した時刻情報を付与して前記ｅＮＢ各々に送信する処理とを実行している。
【００１３】
すなわち、本発明の移動体通信システムは、上記の問題に対し、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のネットワーク構成においてｅＮＢ（Ｅ−ＵＴＲＡＮ  ＮｏｄｅＢ）間の同期を取る方法として、ＵＰＥ（Ｕｓｅｒ  Ｐｌａｎｅ  Ｅｎｔｉｔｙ）をＮＴＰ（Ｎｅｔｗｏｒｋ  Ｔｉｍｅ  Ｐｒｏｔｏｃｏｌ）サーバ（Ｓｅｒｖｅｒ）とし、ＮＴＰクライアント（Ｃｌｉｅｎｔ）となるｅＮＢにクロックを供給する。
【００１４】
そして、ＵＰＥは各ｅＮＢに対して定期的にＳｙｎｃｈｒｏｎｉｚａｔｉｏｎ処理を実施し、取得する伝送路遅延情報に基づいてＡｉｒ（無線空間）で送信する時刻を決定し、ＭＢＭＳ（Ｍｕｌｔｉｃａｓｔ  Ｂｒｏａｄｃａｓｔ  Ｍｕｌｔｉｍｅｄｉａ  Ｓｅｒｖｉｃｅ）のデータをｅＮＢ数分コピーする際に、ｅＮＢがＡｉｒにＭＢＭＳのデータを送信する時刻情報を設定することで、各ｅＮＢが同時タイミングでデータ送信を行い、ＵＥ（Ｕｓｅｒ  Ｅｑｕｉｐｍｅｎｔ：移動機）に対して瞬断のない安定したデータ伝送を提供している。
【００１５】
これによって、本発明の移動体通信システムでは、Ｅ−ＵＴＲＡＮにおけるＭＢＭＳサービス実現のために、各ｅＮＢで共通の時刻情報を有することが可能になるという効果が得られる。
【００１６】
また、本発明の移動体通信システムでは、ＵＰＥからＭＢＭＳ情報を送信する際、各ｅＮＢに対して事前にＳｙｎｃｈｒｏｎｉｚａｔｉｏｎ（同期）処理を実施することで、ｅＮＢ〜ＵＰＥ間の伝送路遅延を考慮し、ｅＮＢがＡｉｒにＭＢＭＳデータを送信する際のタイミング調整を実現することが可能となる。
【００１７】
さらに、本発明の移動体通信システムでは、ＵＰＥが管理下のｅＮＢ単位またはＣｅｌｌ単位にＭＢＭＳデータをコピーして送信することで、ＵＥがＣｅｌｌをまたがって移動する際のＣｅｌｌ  Ｃｏｍｂｉｎｉｎｇ処理を実現することが可能となる。
【発明の効果】
【００１８】
本発明は、上記のような構成及び動作とすることで、Ｅ−ＵＴＲＡＮにおけるＭＢＭＳサービスの実現手段を明確にすることができ、ＵＥに対してシームレスなデータ受信を実現することができるという効果が得られる。
【発明を実施するための最良の形態】
【００１９】
次に、本発明の実施例について図面を参照して説明する。図１は本発明の一実施例による移動体通信システムの構成を示すブロック図である。図１においては、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）構成においてＵＰＥ（Ｕｓｅｒ  Ｐｌａｎｅ  Ｅｎｔｉｔｙ）でｅＮＢ［Ｅ−ＵＴＲＡＮ  ＮｏｄｅＢ］分のＭＢＭＳ（Ｍｕｌｔｉｃａｓｔ  Ｂｒｏａｄｃａｓｔ  Ｍｕｌｔｉｍｅｄｉａ  Ｓｅｒｖｉｃｅ）データをコピーする場合のイメージを示している。
【００２０】
つまり、本発明の一実施例による移動体通信システムは、ＵＥ（Ｕｓｅｒ  Ｅｑｕｉｐｍｅｎｔ：移動機）（＃１，＃２）１−１，１−２と、ＲＮＣ（Ｒａｄｉｏ  Ｎｅｔｗｏｒｋ  Ｃｏｎｔｒｏｌｌｅｒ：無線ネットワーク制御装置）の機能とＮｏｄｅＢ（無線基地局）の機能とが縮退されてなるｅＮＢ（＃１，＃２）２−１，２−２と、ＵＰＥ３と、ＭＭＥ（Ｍｏｂｉｌｉｔｙ  Ｍａｎａｇｅｍｅｎｔ  Ｅｎｔｉｔｙ）４と、ＢＭ−ＳＣ（Ｂｒｏａｄｃａｓｔ  Ｍｕｌｔｉｃａｓｔ−Ｓｅｒｖｉｃｅ  Ｃｅｎｔｒｅ）５とからなるＥ−ＵＴＲＡＮ構成となっている。
【００２１】
図２は図１のＵＰＥ３の構成例を示すブロック図である。図２において、ＵＰＥ３は、制御部［ＣＰＵ（中央処理装置）］３１と、メモリ３２と、通信制御部３３とから構成されている。制御部３１は伝送路遅延算出部３１１と、送信タイミング決定部３１２と、データ転送部３１３とを備え、メモリ３２にはバッファメモリ３２１の領域が設けられている。
【００２２】
伝送路遅延算出部３１１、送信タイミング決定部３１２、データ転送部３１３各々の処理は制御部３１がメモリ３２に格納されたプログラムを実行することで実現され、後述する処理動作を行う。メモリ３２のバッファメモリ３２１にはＢＭ−ＳＣ５からのＭＢＭＳデータが保持される。尚、バッファメモリ３２１はメモリ３２内に設けられなくてもよい。
【００２３】
図３は図１のｅＮＢ（＃１，＃２）２−１，２−２の構成例を示すブロック図である。図３において、ｅＮＢ２［ｅＮＢ（＃１，＃２）２−１，２−２］は、制御部（ＣＰＵ）２１と、バッファメモリ２２１の領域が設けられたメモリ２２と、ＵＰＥ３との通信を制御する通信制御部２３と、ＵＥ（＃１，＃２）１−１，１−２との無線通信を制御する無線通信制御部２４とを備えている。
【００２４】
図４は本発明の一実施例による図１の条件によるＭＢＭＳデータ送信タイミングの同期処理を示すシーケンスチャートである。これら図１〜図４を参照して本発明の一実施例による図１の条件によるＭＢＭＳデータ送信タイミングの同期処理について説明する。
【００２５】
本実施例では、上記のＥ−ＵＴＲＡＮのシステムにおいて、ＵＰＥ３でｅＮＢ（＃１，＃２）２−１，２−２単位に、ｅＮＢ（＃１，＃２）２−１，２−２でＣｅｌｌ単位にＭＢＭＳデータコピーを行っている。
【００２６】
本実施例において、ＭＢＭＳのデータコピーポイントをＵＰＥ３（ｅＮＢ（＃１，＃２）２−１，２−２単位）／ｅＮＢ（＃１，＃２）２−１，２−２（Ｃｅｌｌ単位）とした場合、ＵＰＥ３ではデータ転送部３１３にて管理下の各ｅＮＢ（＃１，＃２）２−１，２−２分のＭＢＭＳデータをコピーして送信する処理（図４のａ９，ａ１０参照）を行うことになる。
【００２７】
この時、ＵＰＥ３では管理下の各ｅＮＢ（＃１，＃２）２−１，２−２がＡｉｒ（無線空間）に送信するタイミングを考慮するために、各ｅＮＢ（＃１，＃２）２−１，２−２に対してＳｙｎｃｈｒｏｎｉｚａｔｉｏｎ処理を実施することで伝送路遅延を把握し、Ａｉｒで送信するタイミングを合わせるために時刻情報をデータに付与することで異なるｅＮＢ（＃１，＃２）２−１，２−２間のＣｅｌｌ移動時においても、ＵＥ（＃１，＃２）１−１，１−２でＣｅｌｌ  Ｃｏｍｂｉｎｉｎｇを可能にする。
【００２８】
また、ＭＢＭＳデータの送信タイミングの調整のために必要な各ｅＮＢ（＃１，＃２）２−１，２−２間での時刻同期は、ＵＰＥ３をＮＴＰ（Ｎｅｔｗｏｒｋ  Ｔｉｍｅ  Ｐｒｏｔｏｃｏｌ）サーバ（Ｓｅｒｖｅｒ）とし、ｅＮＢ（＃１，＃２）２−１，２−２をＮＴＰクライアント（Ｃｌｉｅｎｔ）とすることで実現する。
【００２９】
図１に示す条件によるＭＢＭＳデータの送信タイミングの同期処理シーケンスを図４に示す。本実施例では、ＵＰＥ３をＮＴＰサーバとし、管理下のｅＮＢ（＃１，＃２）２−１，２−２をＮＴＰクライアントとすることで、各ｅＮＢ（＃１，＃２）２−１，２−２とＵＰＥ３との時刻同期を行う（図４のａ１）。
【００３０】
本実施例では、ＵＰＥ３から定期的に各ｅＮＢ（＃１，＃２）２−１，２−２に対してＳｙｎｃｈｒｏｎｉｚａｔｉｏｎを実施することで（図４のａ３，ａ５）、伝送路遅延算出部３１１にてＩＰ（Ｉｎｔｅｒｎｅｔ  Ｐｒｏｔｏｃｏｌ）伝送路での伝送路遅延を把握する（図４のａ４，ａ６）。
【００３１】
ＵＰＥ３は伝送路遅延算出部３１１で取得した伝送路遅延の値から、送信タイミング決定部３１２にて一番遅延の大きいｅＮＢの伝送路遅延の値を基準に、ｅＮＢ内の装置内遅延を考慮したＡｉｒへのデータ送信タイミングを算出する（図４のａ７）。
【００３２】
ＵＰＥ３のデータ転送部３１３はＢＭ−ＳＣ５からのＭＢＭＳデータをＵＰＥ３管理下のｅＮＢ（＃１，＃２）２−１，２−２分コピーを行い、送信タイミング決定部３１２にて算出したＡｉｒへの送信タイミング値を付与して送信する（図４のａ９，ａ１０）。
【００３３】
ＭＢＭＳデータを受信した各ｅＮＢ（＃１，＃２）２−１，２−２では、受信データで決められた送信タイミングまでデータをバッファリングしてから（図４のａ１１）、Ａｉｒにデータを送信することで、各ｅＮＢ（＃１，＃２）２−１，２−２で同期の取れたＭＢＭＳデータ送信を実現し（図４のａ１２，ａ１３）、ＵＥ（＃１，＃２）１−１，１−２側で異なるｅＮＢ（＃１，＃２）２−１，２−２間のＣｅｌｌ移動時にＣｅｌｌ  Ｃｏｍｂｉｎｉｎｇを可能にする。
【００３４】
図５は本発明の一実施例によるＥ−ＵＴＲＡＮのシステムにおいて、ＵＰＥ３でｅＮＢ（＃１，＃２）２−１，２−２／Ｃｅｌｌ単位にＭＢＭＳデータのコピーを行う場合のイメージを示す図である。尚、ＵＰＥ３ａ及びｅＮＢ（＃１，＃２）２ａ−１，２ａ−２各々の構成は上記の図２及び図３に示す本発明の一実施例と同様である。
【００３５】
ＭＢＭＳデータのコピーポイントをＵＰＥ３ａ［ｅＮＢ（＃１，＃２）２−１，２−２／Ｃｅｌｌ単位］とした場合、ＵＰＥ３ａでは管理下の各ｅＮＢ（＃１，＃２）２ａ−１，２ａ−２のＣｅｌｌを意識し、データ転送部３１３にてＭＢＭＳデータをコピーして送信する処理を行うことになる。
【００３６】
この時、ＵＰＥ３ａでは管理下の各ｅＮＢ（＃１，＃２）２ａ−１，２ａ−２がＡｉｒに送信するタイミングを考慮するために、各ｅＮＢ（＃１，＃２）２ａ−１，２ａ−２に対してＳｙｎｃｈｒｏｎｉｚａｔｉｏｎ処理を実施することで伝送路遅延を把握し、各ｅＮＢ（＃１，＃２）２ａ−１，２ａ−２に対するＭＢＭＳデータをバッファリングしてＡｉｒで送信するタイミングを調整する。
【００３７】
図６は図５に示す条件によるＭＢＭＳデータ送信タイミングの同期処理を示すシーケンスチャートである。これら図２と図３と図５と図６とを参照して本発明の一実施例による図５に示す条件によるＭＢＭＳデータ送信タイミングの同期処理について説明する。
【００３８】
ＵＰＥ３ａをＮＴＰサーバとし、管理下のｅＮＢ（＃１，＃２）２ａ−１，２ａ−２をＮＴＰクライアントとすることで、各ｅＮＢ（＃１，＃２）２ａ−１，２ａ−２とＵＰＥ３ａとの時刻同期を行う（図６のｂ１）。
【００３９】
本実施例では、ＵＰＥ３ａの伝送路遅延算出部３１１から定期的に各ｅＮＢ（＃１，＃２）２ａ−１，２ａ−２に対してＳｙｎｃｈｒｏｎｉｚａｔｉｏｎを実施することで（図６のｂ３，ｂ５）、ＩＰ伝送路での伝送路遅延を把握する（図６のｂ４，ｂ６）。送信タイミング決定部３１２は、伝送路遅延算出部３１１にて取得した伝送路遅延の値から、一番遅延の大きいｅＮＢの伝送路遅延の値を基準に、ｅＮＢ内の装置内遅延考慮したＡｉｒへのデータ送信タイミングを算出する（図６のｂ７）。
【００４０】
データ転送部３１３はＢＭ−ＳＣ５からのＭＢＭＳデータをＵＰＥ３ａの管理下のｅＮＢ（＃１，＃２）２ａ−１，２ａ−２分コピーを行い、送信タイミング決定部３１２で算出したＡｉｒへの送信タイミングを考慮し、ｅＮＢ（＃１，＃２）２ａ−１，２ａ−２（Ｃｅｌｌ単位）に送信するデータのタイミング調整を行う（図６のｂ８，ｂ９，ｂ１０）。ｅＮＢ（＃１，＃２）２ａ−１，２ａ−２ではＵＰＥ３ａから受信したデータに対して特に処理は行わず、そのままＡｉｒに送信する（図６のｂ１１，ｂ１２，ｂ１３，ｂ１４）。
【００４１】
このように、本実施例では、Ｅ−ＵＴＲＡＮ構成におけるＭＢＭＳサービス実現のために以下の効果を奏する。
【００４２】
各ｅＮＢ（＃１，＃２）２−１，２−２及び各ｅＮＢ（＃１，＃２）２ａ−１，２ａ−２でＡｉｒにＭＢＭＳデータを送信する際の同期方法については、ＵＰＥ３，３ａをＮＴＰサーバとし、ｅＮＢ（＃１，＃２）２−１，２−２及びｅＮＢ（＃１，＃２）２ａ−１，２ａ−２をＮＴＰクライアントとすることで、各ｅＮＢ（＃１，＃２）２−１，２−２及び各ｅＮＢ（＃１，＃２）２ａ−１，２ａ−２で共通の時刻情報を有することができる。
【００４３】
また、本実施例では、ＵＰＥ３，３ａからＭＢＭＳ情報を送信する際、各ｅＮＢ（＃１，＃２）２−１，２−２及び各ｅＮＢ（＃１，＃２）２ａ−１，２ａ−２に対して事前にＳｙｎｃｈｒｏｎｉｚａｔｉｏｎを実施することで、ｅＮＢ（＃１，＃２）２−１，２−２及びｅＮＢ（＃１，＃２）２ａ−１，２ａ−２〜ＵＰＥ３，３ａ間の伝送路遅延を考慮し、ｅＮＢ（＃１，＃２）２−１，２−２及びｅＮＢ（＃１，＃２）２ａ−１，２ａ−２がＡｉｒにＭＢＭＳデータを送信する際のタイミング調整を実現することができる。
【００４４】
さらに、本実施例では、Ｅ−ＵＴＲＡＮにおけるＭＢＭＳデータのコピー方法にについて、ＵＰＥ３，３ａが管理下のｅＮＢ（＃１，＃２）２−１，２−２及びｅＮＢ（＃１，＃２）２ａ−１，２ａ−２単位またはＣｅｌｌ単位に、ＭＢＭＳデータをコピーして送信することで、ＵＥ（＃１，＃２）１−１，１−２がＣｅｌｌをまたがって移動する際のＣｅｌｌ  Ｃｏｍｂｉｎｉｎｇ処理を実現することができる。
【００４５】
尚、本発明は、ＵＰＥ３，３ａでｅＮＢ（＃１，＃２）２−１，２−２及びｅＮＢ（＃１，＃２）２ａ−１，２ａ−２単位のコピー処理を実施する際に、Ａｉｒでの送信タイミングを意識してｅＮＢ（＃１，＃２）２−１，２−２及びｅＮＢ（＃１，＃２）２ａ−１，２ａ−２毎に転送タイミングを投げ分ける処理を行うことでも実現可能である。
【００４６】
また、本発明は、ｅＮＢ（＃１，＃２）２−１，２−２及びｅＮＢ（＃１，＃２）２ａ−１，２ａ−２に対してＭＢＭＳデータをコピーして転送する機能をＵＰＥ３，３ａ以外の装置に定義し、一定の数のｅＮＢ（＃１，＃２）２−１，２−２及びｅＮＢ（＃１，＃２）２ａ−１，２ａ−２を管理させることで、ＵＰＥ３，３ａでの負荷を下げ、きめ細かいＭＢＭＳサービスを提供することも可能である。
【図面の簡単な説明】
【００４７】
【図１】本発明の一実施例による移動体通信システムの構成を示すブロック図である。
【図２】図１のＵＰＥの構成例を示すブロック図である。
【図３】図１のｅＮＢの構成例を示すブロック図である。
【図４】本発明の一実施例による図１の条件によるＭＢＭＳデータ送信タイミングの同期処理を示すシーケンスチャートである。
【図５】本発明の一実施例によるＥ−ＵＴＲＡＮのシステムにおいて、ＵＰＥでｅＮＢ／Ｃｅｌｌ単位にＭＢＭＳデータのコピーを行う場合のイメージを示す図である。
【図６】図５に示す条件によるＭＢＭＳデータ送信タイミングの同期処理を示すシーケンスチャートである。
【図７】従来の３ＧＰＰネットワーク構成とＭＢＭＳサービスのイメージを示す図である。
【符号の説明】
【００４８】
１−１，１−２  ＵＥ（＃１，＃２）
２−１，２−２  ｅＮＢ（＃１，＃２）
３  ＵＰＥ
４  ＭＭＥ
５  ＢＭ−ＳＣ
２１，３１  制御部
２２，３２  メモリ
２３，３３  通信制御部
２４  無線通信制御部
３１１  伝送路遅延算出部
３１２  送信タイミング決定部
３１３  データ転送部
３２１  バッファメモリ
【図１】
2008109319.tif 000003
【図２】
2008109319.tif 000004
【図３】
2008109319.tif 000005
【図４】
2008109319.tif 000006
【図５】
2008109319.tif 000007
【図６】
2008109319.tif 000008
【図７】
2008109319.tif 000009